(57)【要約】      （修正有）【課題】複数の電子部品を所定間隔で収容しているキャリアテープであって、別個のリールに巻き付けられているキャリアテープの連結の可否を判定する装置を提供する。【解決手段】装置は、データ管理部と、判定部を備えている。その装置では、データ管理部が、リールＩＤと、リールに巻き付けられたキャリアテープが収容している電子部品の種類と、リールに巻き付けられたキャリアテープが収容している電子部品の残数と、リールへの電子部品の巻き付け可能数を関連付けて記憶している。その装置では、判定部が、２つのリールにおける電子部品の残数の合計が巻き取り側のリールの巻き付け可能数を超える場合に、キャリアテープの連結ができないと判定する。【選択図】図２
2018024477.tif 000002
【特許請求の範囲】
【請求項１】
複数の電子部品を所定間隔で収容しているキャリアテープであって、別個のリールに巻き付けられているキャリアテープの連結の可否を判定する装置であって、
データ管理部と、判定部を備えており、
データ管理部が、リールＩＤと、リールに巻き付けられたキャリアテープが収容している電子部品の種類と、リールに巻き付けられたキャリアテープが収容している電子部品の残数と、リールへの電子部品の巻き付け可能数を関連付けて記憶しており、
判定部が、２つのリールにおける電子部品の残数の合計が巻き取り側のリールの巻き付け可能数を超える場合に、キャリアテープの連結ができないと判定する、装置。
【請求項２】
判定部が、２つのリールのどちらを巻き取り側のリールとしてもキャリアテープの連結が可能な場合に、電子部品の残数が多い方のリールを巻き取り側のリールとして提示する、請求項１の装置。
【請求項３】
判定部が、まず２つのリールのうち電子部品の残数が多い方のリールを巻き取り側のリールとしてキャリアテープの連結の可否を判定し、キャリアテープの連結ができないと判定した場合に、電子部品の残数が少ない方のリールを巻き取り側のリールとしてキャリアテープの連結の可否を判定する、請求項１の装置。
【発明の詳細な説明】
【技術分野】
【０００１】
本明細書は、複数の電子部品を所定間隔で収容しているキャリアテープであって、別個のリールに巻き付けられているキャリアテープの連結の可否を判定する装置に関する。
【背景技術】
【０００２】
特開平６−１００２１７号公報に、複数の電子部品を所定間隔で収容しているキャリアテープであって、別個のリールに巻き付けられているキャリアテープを連結する装置が開示されている。この装置を用いることで、電子部品を全て消費せずに倉庫に戻された２つのリールのキャリアテープを連結して、電子部品の残数の多い１つのリールを新たに用意することが可能となる。
【発明の概要】
【発明が解決しようとする課題】
【０００３】
キャリアテープを連結する際に、連結後のキャリアテープが極端に長くなってしまうと、連結後のキャリアテープをリールに巻き付けることができなくなってしまう。従って、従来、キャリアテープを連結する際には、作業者が目視によりそれぞれのリールのキャリアテープの分量を確認して、連結の可否を判断していた。作業者の勘や経験に頼ることなく、キャリアテープの連結の可否を判定する技術が期待されている。
【課題を解決するための手段】
【０００４】
本明細書は、複数の電子部品を所定間隔で収容しているキャリアテープであって、別個のリールに巻き付けられているキャリアテープの連結の可否を判定する装置を開示する。その装置は、データ管理部と、判定部を備えている。その装置では、データ管理部が、リールＩＤと、リールに巻き付けられたキャリアテープが収容している電子部品の種類と、リールに巻き付けられたキャリアテープが収容している電子部品の残数と、リールへの電子部品の巻き付け可能数を関連付けて記憶している。その装置では、判定部が、２つのリールにおける電子部品の残数の合計が巻き取り側のリールの巻き付け可能数を超える場合に、キャリアテープの連結ができないと判定する。
【０００５】
上記の装置では、２つのリールに巻き付けられているキャリアテープに収容されている電子部品の残数の合計と、巻き取り側のリールにおける電子部品の巻き付け可能数に基づいて、キャリアテープの連結の可否を判断する。このような構成とすることによって、作業者の勘や経験に頼ることなく、キャリアテープの連結の可否を判定することができる。
【図面の簡単な説明】
【０００６】
【図１】実施例の連結判定装置２の構成を模式的に示すブロック図。
【図２】実施例の連結判定装置２において判定部６が行う処理を説明するフローチャート。
【発明を実施するための形態】
【０００７】
一実施形態に係る装置は、判定部が、２つのリールのどちらを巻き取り側のリールとしてもキャリアテープの連結が可能な場合に、電子部品の残数が多い方のリールを巻き取り側のリールとして提示するように構成することができる。キャリアテープを連結する際には、巻き取り側ではないリールからキャリアテープを全て引き出して、その後に巻き取り側のリールへ連結後のキャリアテープを全て巻き付ける作業が必要になる。電子部品の残数が多い方のリールを巻き取り側のリールとすることによって、キャリアテープの連結に要する作業の労力を軽減することができる。
【０００８】
一実施形態に係る装置は、判定部が、まず２つのリールのうち電子部品の残数が多い方のリールを巻き取り側のリールとしてキャリアテープの連結の可否を判定し、キャリアテープの連結ができないと判定した場合に、電子部品の残数が少ない方のリールを巻き取り側のリールとしてキャリアテープの連結の可否を判定するように構成することができる。この装置によれば、電子部品の残数が多い方のリールを優先的に巻き取り側のリールとすることができる。キャリアテープの連結に要する作業の労力を軽減することができる。
【０００９】
（実施例）
以下、実施形態について添付図面を参照して説明する。実施形態に係る連結判定装置２は、別個のリールに巻き付けられているキャリアテープの連結が可能か否かを判定する。それぞれのリールには、複数の電子部品が所定間隔で収容されたキャリアテープが巻き付けられている。それぞれのリールは、例えばテープフィーダに組み込まれて、表面実装機における電子部品の供給に使用される。電子部品を全て消費せずに倉庫に戻された２つのリールのキャリアテープを連結することで、電子部品の残数が多い１つのリールを新たに用意することが可能となる。図１に示すように、連結判定装置２は、データ管理部４と、判定部６と、リール識別部８と、報知部１０と、入力部１２を備えている。
【００１０】
それぞれのリールには、リールＩＤを識別可能なバーコード等の識別コードが付されている。連結判定装置２は、リール識別部８を介してリールの識別コードを読み取ることにより、そのリールのリールＩＤを取得することができる。
【００１１】
データ管理部４は、リールＩＤと、リールに巻き付けられたキャリアテープが収容している電子部品の種類と、リールに巻き付けられたキャリアテープが収容している電子部品の残数と、リールへの電子部品の巻き取り可能数を関連付けて記憶している。
【００１２】
判定部６は、図２に示す処理（詳細は後述する）を実施して、２つのリールに巻き付けられたキャリアテープの連結の可否を判定する。
【００１３】
報知部１０は、判定部６による判定結果を作業者へ報知する。報知部１０は、例えば文字や画像によって判定結果を作業者へ提示するディスプレイであってもよいし、音声によって判定結果を作業者へ提示するスピーカであってもよい。
【００１４】
入力部１２は、連結作業を実施したか否かについての作業者からの入力を受け入れる。入力部１２は、例えばタッチパネルやキーボードなどであってもよいし、ボタンやスイッチなどであってもよい。
【００１５】
以下では図２を参照しながら判定部６が行なう処理について説明する。
【００１６】
ステップＳ２では、判定部６は、リール識別部８から、一方のリール（以下ではリールＡともいう）のリールＩＤを取得する。
【００１７】
ステップＳ４では、判定部６は、リールＡのリールＩＤに基づいて、データ管理部４から、リールＡのキャリアテープに収容されている電子部品の種類と、リールＡのキャリアテープに収容されている電子部品の残数と、リールＡへの電子部品の巻き付け可能数を取得する。
【００１８】
ステップＳ６では、判定部６は、リール識別部８から、他方のリール（以下ではリールＢともいう）のリールＩＤを取得する。
【００１９】
ステップＳ８では、判定部６は、リールＢのリールＩＤに基づいて、データ管理部４から、リールＢのキャリアテープに収容されている電子部品の種類と、リールＢのキャリアテープに収容されている電子部品の残数と、リールＢへの電子部品の巻き付け可能数を取得する。
【００２０】
ステップＳ１０では、判定部６は、リールＡの電子部品の種類と、リールＢの電子部品の種類が一致するか否かを判断する。リールＡの電子部品の種類とリールＢの電子部品の種類が一致しない場合（ステップＳ１０でＮＯの場合）、処理はステップＳ１２に進む。ステップＳ１２では、判定部６は、リールＡとリールＢの電子部品の種類が一致しないためキャリアテープの連結ができないことを、報知部１０を介して作業者に報知する。ステップＳ１２の後、図２の処理は終了する。
【００２１】
ステップＳ１０でリールＡの電子部品の種類とリールＢの電子部品の種類が一致する場合（ＹＥＳの場合）、処理はステップＳ１４へ進む。ステップＳ１４では、判定部６は、リールＡとリールＢのうち、電子部品の残数が多い方のリールを巻き取り側リールに設定する。
【００２２】
ステップＳ１６では、判定部６は、リールＡとリールＢの電子部品の残数の合計が、巻き取り側リールの巻き付け可能数以下であるか否かを判断する。リールＡとリールＢの電子部品の残数の合計が巻き取り側リールの巻き付け可能数以下である場合（ステップＳ１６でＹＥＳの場合）、処理はステップＳ２４へ進む。リールＡとリールＢの電子部品の残数の合計が巻き取り側リールの巻き付け可能数を越えている場合（ステップＳ１６でＮＯの場合）、判定部６は、電子部品の残数が多い方のリールを巻き取り側リールとするとキャリアテープの連結ができないと判断する。この場合、処理はステップＳ１８へ進む。
【００２３】
ステップＳ１８では、判定部６は、リールＡとリールＢのうち、電子部品の残数が少ない方のリールを巻き取り側リールに設定する。
【００２４】
ステップＳ２０では、判定部６は、リールＡとリールＢの電子部品の残数の合計が、巻き取り側リールの巻き付け可能数以下であるか否かを判断する。リールＡとリールＢの電子部品の残数の合計が巻き取り側リールの巻き付け可能数を越えている場合（ステップＳ２０でＮＯの場合）、判定部６は、電子部品の残数が少ない方のリールを巻き取り側リールとしてもキャリアテープの連結ができないと判断する。この場合、処理はステップＳ２２へ進み、判定部６は、リールＡとリールＢの電子部品の残数の合計がリールＡおよびリールＢの巻き取り可能数を超えているためキャリアテープの連結ができないことを、報知部１０を介して作業者に報知する。ステップＳ２２の後、図２の処理は終了する。
【００２５】
ステップＳ２０でリールＡとリールＢの電子部品の残数の合計が巻き取り側リールの巻き付け可能数以下である場合（ＹＥＳの場合）、処理はステップＳ２４へ進む。ステップＳ２４では、判定部６は、巻き取り側リールとして設定したリールと、キャリアテープが連結可能であることを、報知部１０を介して作業者に報知する。
【００２６】
ステップＳ２６では、判定部６は、入力部１２を介して作業者からキャリアテープの連結作業が実施されたことの入力がされるまで待機する。
【００２７】
ステップＳ２８では、判定部６は、データ管理部４における、リールＡとリールＢの電子部品の残数をそれぞれ更新する。具体的には、判定部６は、リールＡとリールＢのうち巻き取り側リールとなった方のリールの電子部品の残数を連結前のリールＡとリールＢの電子部品の残数の合計に更新し、巻き取り側とならなかった方のリールの電子部品の残数をゼロに更新する。ステップＳ２８の後、図２の処理は終了する。
【００２８】
本実施例の連結判定装置２では、２つのリールに巻き付けられているキャリアテープに収容されている電子部品の残数の合計と、巻き取り側のリールにおける電子部品の巻き付け可能数に基づいて、キャリアテープの連結の可否を判断する。このような構成とすることによって、作業者の勘や経験に頼ることなく、キャリアテープの連結の可否を判定することができる。
【００２９】
本実施例の連結判定装置２では、判定部が、２つのリールのどちらを巻き取り側のリールとしてもキャリアテープの連結が可能な場合に、電子部品の残数が多い方のリールを巻き取り側のリールとして提示する。キャリアテープを連結する際には、巻き取り側ではないリールからキャリアテープを全て引き出して、その後に巻き取り側のリールへ連結後のキャリアテープを全て巻き付ける作業が必要になる。本実施例の連結判定装置２が提示するように、電子部品の残数が多い方のリールを巻き取り側のリールとすることによって、キャリアテープの連結に要する作業の労力を軽減することができる。
【００３０】
なお、上記の実施例の図２に示す処理において、例えばリールＡとリールＢがほぼ同一の形状を有する場合のように、リールＡとリールＢの巻き取り可能数がほぼ同一である場合には、ステップＳ１８およびステップＳ２０の処理を省略することができる。この場合、ステップＳ１６でリールＡとリールＢの電子部品の残数の合計が巻き取り側リールの巻き付け可能数を越えている場合（ＮＯの場合）、処理はステップＳ２２へ進む。
【００３１】
なお、上記の実施例の図２に示す処理において、リールＡとリールＢの電子部品の残数の合計が所定数（例えば巻き取り側リールの巻き取り可能数の半分）より小さい場合に、判定部６が、キャリアテープの連結ができないと判定するように構成してもよい。このような構成とすることによって、キャリアテープの連結後の電子部品の残数が少な過ぎるようなリールＡとリールＢの組み合わせでのキャリアテープの連結を防止することができる。
【００３２】
上記の実施例において、判定部６が、倉庫に存在するリールのうち２つのリールの組み合わせの全てについて図２の判定処理を実施して、倉庫に存在するリールの中からキャリアテープの連結が可能な２つのリールの組み合わせを作業者に提示するように構成してもよい。あるいは、上記の実施例において、判定部６が、倉庫に存在するリールの組み合わせのうち、キャリアテープの連結後の電子部品の残数が巻き取り側リールの巻き取り可能数に近い（例えば巻き取り可能数の９０％から１００％の間となる）２つのリールの組み合わせを作業者に提示するように構成してもよい。あるいは、上記の実施例において、判定部６が、倉庫に存在するリールの組み合わせのうち、キャリアテープの連結後の電子部品の残数が予定されている生産に必要となる電子部品の個数に見合う（例えば必要となる電子部品の個数の１００％から１１０％の間となる）２つのリールの組み合わせを作業者に提示するように構成してもよい。
【００３３】
なお、上記の実施例では、データ管理部４がリールとは別個に設けられている場合について説明したが、データ管理部４の一部または全部はリールそれ自体に組み込まれていてもよい。例えば、リールがＲＦタグなどのメモリを備え、リール識別部８がリールのメモリへアクセス可能となるように構成して、リールのメモリに、そのリールのリールＩＤと、リールのキャリアテープに収容されている電子部品の種類と、リールのキャリアテープに収容されている電子部品の残数と、リールへの電子部品の巻き付け可能数を記憶していてもよい。
【００３４】
本発明の代表的かつ非限定的な具体例について、図面を参照して詳細に説明した。この詳細な説明は、本発明の好ましい例を実施するための詳細を当業者に示すことを単純に意図しており、本発明の範囲を限定することを意図したものではない。また、開示された追加的な特徴ならびに発明は、さらに改善された連結判定装置を提供するために、他の特徴や発明とは別に、又は共に用いることができる。
【００３５】
また、上記の詳細な説明で開示された特徴や工程の組み合わせは、最も広い意味において本発明を実施する際に必須のものではなく、特に本発明の代表的な具体例を説明するためにのみ記載されるものである。さらに、上記の代表的な具体例の様々な特徴、ならびに、特許請求の範囲に記載されるものの様々な特徴は、本発明の追加的かつ有用な実施形態を提供するにあたって、ここに記載される具体例のとおりに、あるいは列挙された順番のとおりに組合せなければならないものではない。
【００３６】
本明細書及び／又は特許請求の範囲に記載された全ての特徴は、実施例及び／又は特許請求の範囲に記載された特徴の構成とは別に、出願当初の開示ならびに特許請求の範囲に記載された特定事項に対する限定として、個別に、かつ互いに独立して開示されることを意図するものである。さらに、全ての数値範囲及びグループ又は集団に関する記載は、出願当初の開示ならびに特許請求の範囲に記載された特定事項に対する限定として、それらの中間の構成を開示する意図を持ってなされている。
【００３７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図１】
2018024477.tif 000003
【図２】
2018024477.tif 000004
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
複数の電子部品を所定間隔で収容しているキャリアテープであって、別個のリールに巻き付けられているキャリアテープの連結が可能な２つのリールの組み合わせを提示する装置であって、
データ管理部と、判定部を備えており、
データ管理部が、倉庫に存在する各リールのリールＩＤと、リールに巻き付けられたキャリアテープが収容している電子部品の種類と、リールに巻き付けられたキャリアテープが収容している電子部品の残数を関連付けて記憶しており、
判定部が、倉庫に存在するリールのうちの２つのリールの組み合わせそれぞれについて判定処理を実施し、キャリアテープの連結が可能な２つのリールの組み合わせを提示する、装置。
【請求項２】
データ管理部が、さらにリールへの電子部品の巻き付け可能数を前記リールＩＤに関連付けて記憶しており、
判定部が、キャリアテープの連結が可能な２つのリールの組み合わせのうち、２つのリールにおける電子部品の残数の合計が巻き取り側のリールの巻き付け可能数に近い２つのリールの組み合わせを提示する、請求項１の装置。
【請求項３】
判定部が、キャリアテープの連結が可能な２つのリールの組み合わせのうち、２つのリールにおける電子部品の残数の合計が予定されている生産に必要となる電子部品の個数に見合う２つのリールの組み合わせを提示する、請求項１の装置。